(57)【要約】【課題】  回転ベゼル及びセンサを備えつつサイズが大きくなるのが最低限に抑えられ得る腕装着型電子機器を提供すること【解決手段】  腕装着型電子機器１は、中央部に表示領域Ｄを備えた環状のケース１０と、該ケース１０の表示領域のまわりでＡ方向に回転可能に該ケース１０に装着され、周方向Ａの一箇所に窓３６を備えた回転ベゼル３０と、ケース１０のうち、回転ベゼル３０の窓３６の回転軌道に沿い且つ該回転ベゼル３０の背後に位置する部位に配設されたセンサ７０であって、窓３６が該センサ７０に対面する回転位置を採る際に該窓３６の前面に載置される被検体Ｆの状態を感知するもの７０とを有する。【選択図】    図２
2006014947.tif 000002
【特許請求の範囲】
【請求項１】
中央部に表示領域を備えた環状のケースと、
前記ケースの表示領域のまわりで回転可能に該ケースに装着され、周方向の一箇所に窓を備えた回転ベゼルと、
前記ケースのうち、前記回転ベゼルの窓の回転軌道に沿い且つ該回転ベゼルの背後に位置する部位に配設されたセンサであって、前記窓が該センサに対面する回転位置を採る際に該窓の前面に載置される被検体の状態を感知するものと
を有する腕装着型電子機器。
【請求項２】
前記センサは、回転ベゼルの窓が該センサに対面する回転位置を採る際に該窓の前面に押し当てられる指の脈拍を感知する脈拍センサからなる請求項１に記載の腕装着型電子機器。
【請求項３】
前記ケース内に収容され複数種類の動作を行い得る電子機器本体を備え、
前記回転ベゼルが前記ケースに対して採る回転位置に応じて異なる種類の動作の指示が電子機器本体に発せられるように構成された請求項１又は２に記載の腕装着型電子機器。
【請求項４】
電子機器本体の複数種類の動作が計時動作を含む請求項３に記載の腕装着型電子機器。
【発明の詳細な説明】
【技術分野】
【０００１】
本発明は腕時計のような腕装着型電子機器に係り、より詳しくは、脈拍の如き被検体の状態を感知するセンサを備えた腕装着型電子機器に係る。
【背景技術】
【０００２】
電子腕時計のケースの一側に脈拍検出部を設けた脈拍検出機能付の電子腕時計は、提案されている（特許文献１や特許文献２）。
【０００３】
しかしながら、この種の脈拍検出機能付の電子時計では、ケースの一側を突出させて該突出部に脈拍検出部を設ける（特許文献１）か、電子腕時計の表示領域の一側を実質的に切欠いて該切欠部の脈拍検出部を設ける（特許文献２）ようにしており、脈拍検出部の配備に伴いケースが全体として大型化するか表示領域が小さくなるのを避け難い。
【０００４】
なお、この種の脈拍検出機能付の電子時計では、複数種類の動作（機能）の一つとして脈拍検出部による脈拍検出動作を行わせるものであることから、動作を切り換えて当該動作を行わせるためには、複数の押ボタンスイッチを適切な順序で適切な回数だけ押す必要があり、操作が複雑・煩雑で利用者に判り難い。
【０００５】
一方、中央部に表示領域を備えた環状のケースと、ケースの表示領域のまわりで回転可能に該ケースに装着され、ケースに対する回転位置を示すマークを備えた回転ベゼルとを有する腕時計自体は提案されている（例えば、特許文献３）。この特許文献３では、ケース内に収容され複数種類の時計動作を行い得る電子機器本体を備え、回転ベゼルがケースに対して採る回転位置に応じて異なる種類の時計動作の指示を電子機器本体に発するようにすることも提案されている。なお、回転ベゼル付の腕時計としては、例えば、ダイバー用時計のように、回転ベゼルに時間（分等）を表す目盛りがマークとして付されているものもある。
【０００６】
しかしながら、特許文献３で提案されている回転ベゼル付腕時計は、マーク（文字）で示された回転ベゼルの回転位置に応じてアラーム設定やストップウォッチ動作やタイマー動作の如き各種時計機能を行わせるものであって、脈拍検出機能は備えていない。
【特許文献１】特開２００２−１６５７６８号公報（例えば、図１及びその説明）
【特許文献２】特開平７−１１６１３２号公報（例えば、図４及びその説明）
【特許文献３】実開平７−１８２９４号公報（例えば、第１図及びその説明）
【発明の開示】
【発明が解決しようとする課題】
【０００７】
本発明は、前記した点に鑑みなされたものであって、その目的とするところは、回転ベゼル及びセンサを備えつつサイズが大きくなるのが最低限に抑えられ得る腕装着型電子機器を提供することにある。
【課題を解決するための手段】
【０００８】
本発明の腕装着型電子機器は、前記目的を達成すべく、中央部に表示領域を備えた環状のケースと、ケースの表示領域のまわりで回転可能に該ケースに装着され、周方向の一箇所に窓を備えた回転ベゼルと、ケースのうち、回転ベゼルの窓の回転軌道に沿い且つ該回転ベゼルの背後に位置する部位に配設されたセンサであって、前記窓が該センサに対面する回転位置を採る際に該窓の前面に載置される被検体の状態を感知するものとを有する。
【０００９】
本発明の腕装着型電子機器では、「周方向の一箇所に窓を備えた回転ベゼルと、ケースのうち、回転ベゼルの窓の回転軌道に沿い且つ該回転ベゼルの背後に位置する部位に配設されたセンサであって、前記窓が該センサに対面する回転位置を採る際に該窓の前面に載置される被検体の状態を感知するものと」が設けられているので、回転ベゼルの窓がセンサに対面する位置に来るように回転ベゼルをケースに対して回転させ、回転ベゼルの窓の上に被検体を載せる（例えば、指を押し当てる）だけで、センサにより脈拍の如き被検体の状態の感知が行われ得る。ここで、本発明の腕装着型電子機器では、「回転ベゼルが周方向の一箇所に窓を備える」ので、センサを回転ベゼルの外周よりも外側に設けなくてもよいから、大型化が避けられ得、且つセンサを回転ベセルの内周よりも内側に設けなくてもよいから、ケースの中央部の表示領域が小さくなるのを避け得る。
【００１０】
ここで、窓は、センサによる検出動作を可能にする限り、全周が周壁で取囲まれた開口であっても、周壁の一部を欠く切欠であってもよい。また、開口や切欠は単なる孔（周壁の全体を備えるもの又は周壁の一部を欠くもの）であっても該孔が窓形成材料で形成されてなるものであってもよい。センサが発光部及び受光部を備えた光学的なセンサであるときには、窓形成材料は、検出に用いられる振動数の光の透過を許容する材料からなる。なお、典型的には、ケースに配設されたセンサの前面にも同様な窓が形成される。
【００１１】
回転ベゼルの窓は、典型的には、周方向の特定箇所に一つだけ設けられるけれども、所望ならば当該一箇所以外の（周方向の）他の箇所にも窓が設けられてもよい。
【００１２】
本発明の腕装着型電子機器において、前記センサは、典型的には、回転ベゼルの窓が該センサに対面する回転位置を採る際に該窓の前面に押付けられる指の如き被検体の脈拍を感知する脈拍センサからなる。脈拍センサは、光学的なセンサであっても、超音波センサの如き他の種類のセンサでもよい。なお、該窓の前面に載置される被検体の状態を検出し得る限り、脈拍センサ以外の他の種類のセンサでもよい。
【００１３】
本発明の腕装着型電子機器において、回転ベゼルは、ダイバー用時計の目盛りのように周方向の全体に付されたマークを備えていてもよいけれども、本発明の腕装着型電子機器は、典型的には、ケース内に収容され複数種類の動作（機能）を行い得る電子機器本体を備え、回転ベゼルがケースに対して採る回転位置に応じて異なる種類の動作（機能）の指示が電子機器本体に発せられるように構成される。
【００１４】
その場合、電子機器本体はその複数種類の動作（機能）のうちの一つとしてセンサ（例えば、脈拍センサ）により感知される被検体の状態の検出（例えば、単位時間（分）当りの脈拍数の検出）を行い、全体として脈拍計として機能する。しかも、この腕装着型電子機器では、窓がセンサ（例えば、脈拍センサ）に対面する回転位置に回転ベゼルが位置決めされること自体に応じて、電子機器本体が対応する検出器（例えば、脈拍計）として動作するので、腕装着型電子機器が複数種類の動作をし得るにもかかわらず、特定の種類の動作（例えば脈拍計としての動作）が行われるから、押ボタンスイッチ等の複雑な押圧動作を要しないか該押圧動作が最低限に抑えられ得、その操作が判り易く容易になる。
【００１５】
本発明の腕装着型電子機器の電子機器本体はどのような種類の動作を行うようになっていてもよいけれども、典型的には、少なくとも一部として時計として働く時計機能を有する。
【発明を実施するための最良の形態】
【００１６】
次に、本発明の好ましい一実施の形態の腕装着型電子機器としての脈拍計付き電子腕時計を添付図面に示した好ましい一実施例に基づいて説明する。
【実施例】
【００１７】
図１から図５に示した本発明による好ましい一実施例の脈拍計付き電子腕時計１は、例えば図２の断面図からわかるように、全体としてほぼ環状のケース１０を有する。ケース１０は、前面側の小径環状部１１及び背面側の大径環状部１２を一体的に備える。
【００１８】
前面側環状部１１は、半径方向に延びた環状板状で、その内周壁１３には、表示領域Ｄを内周面１４ａで規定すべく内向きに突出した環状フランジ部１４を備える。内周壁１３には時計ガラス２がパッキンを介して環状フランジ部１４まで圧入・嵌着されている。前面側環状部１１は、更に、アナログ式時計でいえば６時の位置に、大径孔部１５ａ及び小径孔部１５ｂからなる貫通孔１５を有し、該貫通孔１５の大径孔部１５ａには、孔部１５ａ，１５ｂ間の段差部１５ｃに載置されるように、透明窓部材１６が挿設・固着されている。この透明窓部材１６は、後述の脈拍センサ７０の受光部７３で受光すべき光を透過するものであればよい。
【００１９】
背面側大径環状部１２は、前後方向Ｚに平行に延びたほぼ円筒状の本体部１７と、該本体部１７の前面側端部１７ａから半径方向内向きに延び延在端１８ａの前部で前面側小径環状部１１の半径方向外側端１１ａの背面部に連続的につながった半径方向延在環状接続部１８とを有する。この環状接続部１８には、電子機器１の周方向Ａに等間隔に貫通孔１９ｐ，１９ｑ，１９ｒ，１９ｓ，１９ｔ，１９ｕ（図４参照、相互に区別しないとき又は総称するときは符号１９で表す）が形成され、Ｚ方向に延びた各貫通孔１９ｐ，１９ｑ，１９ｒ，１９ｓ，１９ｔ，１９ｕにはピン２０ｐ，２０ｑ，２０ｒ，２０ｓ，２０ｔ，２０ｕ（図４参照、相互に区別しないとき又は総称するときは符号２０で表す）がＺ１，Ｚ２方向に摺動自在に嵌合されている。
【００２０】
ケース１０の前面側には、Ｚ方向に延びた中心軸線Ｃのまわりで周方向Ａの両方の向きＡ１，Ａ２に回転可能に、回転ベゼル３０が嵌合されている。回転ベゼル３０は、いずれか一方の向きＡ１又はＡ２にのみ回転可能に装着されていてもよい。より詳しくは、回転ベゼル３０は、環状板状前面部３１と中間環状部３２と背面側係合部３３とを一体的に有する。即ち、回転ベゼル３０の環状板状前面部３１は、ケース１０の前面側小径環状部１１の環状前面１１ｂに環状背面３１ａで摺接する。また、中間環状部３２は、内周壁の円形溝部３２ａに配設されたパッキン３２ｂで、前面側小径環状部１１の外周１１ｃに形成されたリング状係合部２１に嵌合され、ピン２０の押圧部として働く背面側環状面ないし環状背面部３４で環状接続部１８の前面１８ｂに摺接する。更に、背面側係合部３３は、内周壁の環状突起部３３ａでケース１０の環状接続部１８の前端部外周の環状溝部１８ｂに嵌合され、回転ベゼル３０のケース１０からの離脱を防ぎつつ回転ベゼル３０のケース１０に対するＡ方向回転を許容する。
【００２１】
以上において、回転ベゼル３０の環状面３４がケース１０の面１８ｂに対して実質的に摺接又は近接状態に維持されたまま回転ベゼル３０がケース１０に対してＡ方向に回転可能である限り、回転ベゼル３０及びケース１０の形状は、異なっていてもよい。例えば、ケース１０の前面側環状部１１の外縁部１１ａ及び溝部１８の平面形状が実質的に円形（包絡線が円形）であり、且つ回転ベゼル３０の対応する内周部及び突起部３３ａの平面形状が実質的に円形（包絡線が円形）である限り、他の部分の平面形状は円形でなくてもよい。
【００２２】
なお、図３から図５に示したように、中間環状部３２の環状背面部３４のうちケース１０の貫通孔１９に対応する半径位置には、凹部３５が形成され、凹部３５が特定の貫通孔１９（即ち１９ｐ，１９ｑ，１９ｒ，１９ｓ，１９ｔ又は１９ｕ）に対面する回転位置にある場合、該対面位置の貫通孔１９（１９ｐ，１９ｑ，１９ｒ，１９ｓ，１９ｔ又は１９ｕ）に挿設された対応するピン２０（即ち２０ｐ，２０ｑ，２０ｒ，２０ｓ，２０ｔ又は２０ｕ）は、その頂部２０ａがＺ１方向に孔１９から突出して凹部３５内に嵌合するように変位可能である。
【００２３】
なお、回転ベゼル３０のＡ方向回転に伴って凹部３５内に嵌っていたピン２０の頂部２０ａが該凹部３５から抜けるように、凹部３５の側縁３５ａ，３５ｂのうちの少なくとも一方が傾斜面になっている。ここで、ピン２０の頂部２０ａの凹部３５に対する嵌入・離脱が容易に行われ易いように、ピン２０の頂部２０ａが丸くなっていていもよい。一方、回転ベゼル３０が一方の向きのみに、例えばＡ２方向にのみに回転され得るようにするためには、例えば、凹部３５の側縁３５ｂのみを傾斜面にし、側縁３５ａを回転方向（周方向）に対して垂直に延びた係止面にしておいてもよい。
【００２４】
また、回転ベゼル３０の環状板状前面部３１には、ケース１０の貫通孔１５と同じ半径位置の周方向の一箇所に、開口の形態の窓部３６が形成されており、回転ベゼル３０が特定の回転位置を採る際に、窓部３６は貫通孔１５と一直線に整列する。窓部３６は、単なる貫通孔（開口）である代わりに、該窓部に窓部材１６と同様な透明窓材料が配設されていてもよい。その場合、窓部材１６が汚れるのを最低限に抑え得る。更に、窓部３６は、その全周が壁部で囲まれた孔である代わりに、例えば、図２において、窓部３６の右側の壁部３６ａが切欠かれ、窓部３６が回転ベゼル３０の外周面に開いていてもよい。
【００２５】
図１の（ａ）及び（ｂ）に示したように、回転ベゼル３０の前面部３１及び中央環状部３２の表面３７には、周方向に間隔をおいて、「ＴＩＭＥ」，「ＡＬ−１」，「ＡＬ−２」，「ＴＩＭＥＲ」，「ＣＨＲＯＮＯ」及び「ＰＵＬＳＥ」という動作モードを示すマークとしての文字３８ｐ，３８ｑ，３８ｒ，３８ｓ，３８ｔ，３８ｕ（相互に区別しないとき又は総称するときは符号３８で表す）が付されている。ここで、「ＰＵＬＳＥ」は脈拍計としての動作モードを表す。なお、「ＴＩＭＥ」は通常運針モードの時計としての動作・設定状態を表し、「ＡＬ−１」及び「ＡＬ−２」は相互に独立なアラーム（時刻）設定モードを表し、「ＴＩＭＥＲ」はタイマーとしての動作・設定モードを表し、「ＣＨＲＯＮＯ」はストップウォッチとしての動作モードを表す。アナログ時計の６時の位置に対応する手前側の位置においてケース１０の表面に付された「△」マーク２２に、六種類の文字マーク３８ｐ，３８ｑ，３８ｒ，３８ｓ，３８ｔ，３８ｕのいずれかが位置するような回転位置に回転ベゼル３０が位置決めされると、夫々に対応する貫通孔１９ｐ，１９ｑ，１９ｒ，１９ｓ，１９ｔ又は１９ｕに挿設されたピン２０ｐ，２０ｑ，２０ｒ，２０ｓ，２０ｔ又は２０ｕが回転ベゼル３０の凹部３５に対面しその頭部２０ａが凹部３５内に進入可能になる。なお、窓部３６の外周側壁部３６ａが切欠かれる場合、図１において、ＰＵＬＳＥのマークは、例えば、窓部３６よりも半径方向内側の部分等他の部分に記載されるか、該切欠部を跨いで周方向に記載されるか、より短いマークで代替されることになる。
【００２６】
ケース１０と時計ガラス２とにより規定される室２３内の厚さ方向Ｚの中央部には、回路ブロックを構成する主基板４０が環状接続部１８にボルト５１の如き固定手段により固定・配置されている。室２３内で主基板４０の前面側には、パネル枠５０と、該パネル枠５０に支持された液晶表示パネル４及び該液晶表示パネル４に固定されたＥＬパネルの如きバックライト５とが配設され、主基板４０の背面４５側には、電池枠６０と該電池枠６０に支持された電池（図示せず）とが配設されている。６は、液晶表示パネル４を弾性的に支持し該パネル４のガラス基板への信号入力のための導電ゴムの如き端子である。
【００２７】
パネル枠５０のうちケース１０の貫通孔１５に対面する部位には、脈拍センサ受容孔５１が形成され、主基板４０のうちケース１０の貫通孔１５及びパネル枠５０の脈拍センサ受容孔５１に対面する部位には、脈拍センサ実装用端子部４１が形成されている。
【００２８】
主基板４０は、電子機器本体部を構成する各種の電気・電子部品（図示せず）が回路基板本体４２に実装されてなる回路ブロックの形態であって全体として電子機器本体部を形成する。
【００２９】
主基板４０の本体部４２のうち脈拍センサ実装端子部４１には脈拍センサ７０がその端子部７１で取付けられている。脈拍センサ７０は、例えば、発光部７２と受光部７３とを備え、発光部７２から射出された光のうち被検体の被検部で反射された反射光を受光部７３で検出する。この例では、回転ベゼル３０の窓３６の上部に押付けられる被検体としての指Ｆの被検部をなす血管を流れる血流の脈動に伴うヘモグロビンの流量変動を反射光の強度変動として検出して、血流の脈動を検出する。但し、センサ７０は、脈拍を感知し得る限り、その代わりに、ドプラ効果に伴う超音波の周波数変動を検出するもの等他のものでもよい。また、センサは、窓部３６を利用するタイプのものである限り、脈拍を検出する脈拍センサ以外のものであってもよい。窓部３６は光や音の通過部として用いられる代わりに、導電路や磁路等他の種類の信号伝達ないし伝播路として用いられてもよい。
【００３０】
主基板４０は、更に、ケース１０の六個の貫通孔１９ｐ，１９ｑ，１９ｒ，１９ｓ，１９ｔ，１９ｕ１９の夫々に対してＺ方向に対面する領域４４ｐ，４４ｑ，４４ｒ，４４ｓ，４４ｔ，４４ｕ（図４参照、相互に区別しないとき又は総称するときは符号４４で表す）４４に、スイッチ８０ｐ，８０ｑ，８０ｒ，８０ｓ，８０ｔ，８０ｕ（図４参照、相互に区別しないとき又は総称するときは符号８０で表す）を有する。
【００３１】
各スイッチ８０は、主基板４０の背面４５のうち前記領域４４に形成された固定接点部８１と前記領域４４において主基板４０の背面４５から突出した可動接点バネ部８２とを有する。可動接点バネ部８２はその基部８２ａでビス８２ｂなどにより固定されている。より詳しくは、固定接点部８１は、周方向Ａに関して貫通孔１９に一致する位置で、貫通孔１９よりも中心軸線Ｃから近い範囲に位置する（図４に加えて図２参照）。一方、可動接点バネ部８２は、図４のうち電池枠６０を破断して示した左上部分からわかるように、周方向Ａに関して貫通孔１９のあるところから少し離れた位置において主基板４０の背面４５から主基板４０の外縁部４６よりも外に突出した半径方向突出部８３と、該突出部８３の突出端８３ａから主基板４０の外縁部４６に対して間隔Ｇをおいて該外縁部４６に沿って貫通孔１９に対面する周方向位置まで延びた周方向延在部８４と、該周方向延在部８４の延在端部８５から半径方向内向きに固定接点部８１に重なるところまで延びた可動接点支持部８６とを有する。可動接点支持部８６の先端部には固定接点部８２に対してＺ１，Ｚ２方向に接離可能な可動接点部８７が形成されている。なお、各スイッチ８０において、可動接点バネ部８２の周方向延在部８４の延在端部８５は、ケース１０の対応する貫通孔１９の延長上に位置し、該貫通孔１９に挿通されたピン２０の下端部２０ｂに当接して、対応するピン２０に対して、常時、Ｚ１方向の偏倚力を及ぼす。
【００３２】
電池枠６０は、その周面６１のうち各スイッチ８０ｐ，８０ｑ，８０ｒ，８０ｓ，８０ｔ，８０ｕ（即ち８０）に対応する周方向部位６２ｐ，６２ｑ，６２ｒ，６２ｓ，６２ｔ，６２ｕ（図４参照、相互に区別しないとき又は総称するときは符号６２で表す）に、可動接点バネ部８２の端部８５から可動接点部８７までの可動接点支持部８６のＺ方向移動を許容する切欠部ないし溝部６３ｐ，６３ｑ，６３ｒ，６３ｓ，６３ｔ，６３ｕ（図４参照、相互に区別しないとき又は総称するときは符号６３で表す）を有する。なお、可動接点バネ部８２の周方向延在部８４が電池枠６０の外周部６１に当たる虞れがある場合には、電池枠６０の基板側表面６４のうち各スイッチ８０の周方向延在部８４に近接ないし対面する周縁部位ないし周縁領域６５に該周方向延在部８４の自由なＺ方向変位を許容する逃げ部（凹部ないし切欠部）６７ａ（図２及び図３の左側部分参照）を形成しておく。この例では、脈拍センサ７０が配置されている（アナログ時計の場合の）６時側位置（図３の下方位置）では脈拍センサ７０の背面側まで電池枠６０の壁部６６が半径方向に拡がっていることから、図３の左下に位置するスイッチ８０の可動接点バネ部８２に対して、破線６７で示したような逃げ部が形成されている。
【００３３】
電池枠６０は、また、脈拍センサ７０の端子部７１の配設を許容する凹部６８を備え、更に、主基板４０を構成する図示しない各種電気・電子部品等の配設を許容する種々の凹部ないし凹凸部等を備える。
【００３４】
脈拍計付き電子腕時計１において、７は裏蓋（図２及び図３）、８はバンド（図１の（ａ）及び（ｂ））であり、時計１のケース１０のある本体部１ａは、バンド８により利用者の手首Ｗ（図１の（ａ）及び（ｂ））に装着される。なお、２５はパッキン又はシールリングである。
【００３５】
次に、以上の如く構成された脈拍計付き電子腕時計１の操作及び動作について、説明する。
【００３６】
利用者は、脈拍計付き電子腕時計１を手首Ｗに装着した状態で、回転ベゼル３０をＡ１方向又はＡ２方向に回す。マーク３８ｐ，３８ｑ，３８ｒ，３８ｓ，３８ｔ又は３８ｕ、即ち文字「ＴＩＭＥ」，「ＡＬ−１」，「ＡＬ−２」，「ＴＩＭＥＲ」，「ＣＨＲＯＮＯ」又は「ＰＵＬＳＥ」が矢印２２に対向する所定回転位置の間の回転位置に回転ベゼル３０がある場合、各ピン２０は、その頂部２０ａにおいて回転ベゼル３０の底面３４に当接する状態にあるので、下端部２０ｂで対応するスイッチ８０の可動接点バネ部８２の周方向延在部８４の端部８５をＺ２方向に押し下げ、スイッチ８０の接点部８７を固定接点部８１から離間状態に保ち、スイッチ８０をＯＦＦ状態に保つ。スイッチ８０のこのＯＦＦ状態は、図２において左側に示した状態に対応する（なお、ここでは、図２の右側部分は無視する）。
【００３７】
一方、例えば、図１の（ａ）に示したように、「ＴＩＭＥ」の文字３８ｑが矢印マーク２２のところに位置するように、回転ベゼル３０が位置決めされると、回転ベゼル３０の底面３４の凹部３５が該「ＴＩＭＥ」に対応するピン２０（即ちピン２０ｐ）の頂部２０ａに対面する回転位置を採り、対応するスイッチ８０（即ち８０ｐ）の可動接点バネ部８２の周方向延在部８４によってＺ１方向の弾性偏倚力を受けたピン２０の頂部２０ａが凹部３５に嵌り込む（図５参照）。その結果、対応するスイッチ８０ｐの可動接点部８７が固定接点部８１に当接し、「ＴＩＭＥ」が調整・表示可能なモードになる。なお、このとき、「ＴＩＭＥ」に対応するピン２０ｐ以外の五つのピン２０ｑ，２０ｒ，２０ｓ，２０ｔ又は２０ｕは、図２の左側部分で示されたように、その頂部２０ａが回転ベゼル３０の底面３４に当接した状態に保たれるので、他の五つのモードが新たな設定状態に入るのが禁止される。
【００３８】
同様に、例えば、図１の（ｂ）に示したとおり、「ＰＵＬＳＥ」の文字３８ｕが矢印マーク２２のところに位置するように回転ベゼル３０が位置決めされると、回転ベゼル３０の底面３４の凹部３５が該「ＰＵＬＳＥ」に対応するピン２０（即ちピン２０ｕ）の頂部２０ａに対面する回転位置を採り、対応するスイッチ８０ｕの可動接点バネ部８２の周方向延在部８４によってＺ１方向の弾性偏倚力を受けたピン２０ｕの頂部２０ａが凹部３５に嵌り込む（図５参照）。その結果、対応するスイッチ８０ｕの接点部８７が固定接点部８１に当接し、電子機器本体部をなす主基板４０の関連回路が作動されて、「ＰＵＬＳＥ」モード、即ち、脈拍計として動作可能なモードに入る。
【００３９】
この脈拍検出モードに設定されると、例えば、ＬＥＤの如き発光部７２への給電が開始され発光部７２からの光の射出が開始されると共にフォトトランジスタの如き受光部７３への給電が開始されて該受光素子７３が反射光を検出可能な状態に設定される。
【００４０】
この脈拍計としての動作モードでは、図１の（ｂ）及び図２の右側部分で示したように、脈拍センサ７０が内側の窓部１６を介して外側の窓部である回転ベゼル３０の開口３６に対面する。従って、図１の（ｂ）に示したように、外側窓部３６を覆うように指Ｆを回転ベゼル３０上に押付け、動作開始を支持する押ボタンスイッチ９ａを押して、脈拍検出動作を開始させる。なお、先に、押ボタンスイッチ９ａ又は９ｂを押しておいて、次に、指Ｆを窓３６の上部に載せることにより、検出部７３で反射光を検出するようになると、自動的に、又はスイッチ９ａ又は９ｂの押圧後所定時間（例えば数秒程度）経過後に、脈拍検出動作が開始されるようにしておいてもよい。勿論、押ボタンスイッチ９ａ又は９ｂを押して初めて発光部７２での発光が開始されたり、受光部７３が検出可能な状態になるようにしてもよい。
【００４１】
発光素子７２からの射出光のうち血流の脈動に伴う反射光の強度の脈動的変動が受光素子７３で検出されると、該受光素子７３は検出した反射光の脈動に応じた脈動的な出力信号を発し、この出力信号が各種処理・演算回路を含む主基板４０で処理されて、例えば、一分間当りの平均脈拍数が求められ、該主基板４０の関連回路の制御下で液晶表示パネル４により表示される。
【００４２】
本発明による好ましい一実施例の腕装着型電子機器としての脈拍計付きの電子腕時計１では、周方向の一箇所に窓３６を備えた回転ベゼル３０と、ケース１０のうち、回転ベゼル３０の窓３６の回転軌道に沿い且つ該回転ベゼル３０の背後に位置する部位に、窓３６が該部位に対面する回転位置を採る際に該窓３６の前面に載置される被検体としての指先Ｆの血流の脈動状態を感知する脈拍センサ７０とが設けられているので、回転ベゼル３０の窓３６が脈拍センサ７０に対面する位置に来るように回転ベゼル３０をケース１０に対してＡ１方向又はＡ２方向に回転させ、回転ベゼル３０の窓３６の上に指先Ｆを押付けるだけで（所望ならば更に始動ボタンスイッチ９ａを押すだけで）、脈拍センサ３０による脈拍の感知が行われ得る。また、この脈拍計付きの電子腕時計１では、回転ベゼル３０が周方向の一箇所に窓３６を備えるので、脈拍センサ７０を回転ベゼル３０の外周よりも外側に設けなくてもよいから、装置１のサイズが大きくなるのが避けられ得、且つ脈拍センサ７０を回転ベセル３０の内周よりも内側に設けなくてもよいから、ケース１０の中央部の液晶パネル４の表示領域Ｄが小さくなるのを避け得る。
【００４３】
脈拍計付きの電子腕時計１は、更に、ケース１０内に収容され複数種類の動作を行い得る電子機器本体としての主基板４０を備え、回転ベゼル３０がケース１０に対して採る回転位置に応じて、脈拍計としての動作（ＰＵＬＳＥ）に加えて、通常運針動作（ＴＩＭＥ）、二種類のアラーム動作（ＡＬ−１及びＡＬ−２）、タイマー動作（ＴＩＭＥＲ）及びストップウォッチ動作（ＣＨＲＯＮＯ）という異なる種類の動作の指示が電子機器本体をなす主基板４０に発せられるので、脈拍計として働くだけでなく、回転ベゼル３０の回転位置を変えるだけで他の種類の装置としての動作が行われ得る。しかも、この脈拍計付きの電子腕時計１では、窓３６が脈拍センサ７０に対面する回転位置に回転ベゼル３０が位置決めされること自体に応じて、脈拍計３０としての動作モードに入るように構成され得るので、各種の押ボタンスイッチによる押圧動作を要しないか該押圧動作が最低限に抑えられ得るから、その操作が簡単化され得る。
【００４４】
この例では、センサ７０がアナログ時計の６時の位置に設けられているけれども、その代わりに、１２時の位置や３時の位置など他の位置でもよい。また、単一のセンサ７０を設ける代わりに、複数のセンサを周方向の異なる位置に設けてもよい。
【００４５】
更に、以上において、回転ベゼル３０の周方向回転位置に応じて、複数の機能のうちの一つを選択的に指定し得る限り、該選択的指定を可能にするピン２０、凹部３５及びスイッチ８０の形状や位置だけでなく配置や構造も異なっていてもよく、例えば、凹部の代わりに凸部を用いたり常閉接点スイッチの代わりに常開接点スイッチを用いてもよく、ピン２０が、軸線方向Ｚに延びる代わりに半径方向に延びていたり、凹部又は凸部が直接スッチを作動させるようにしてピンを省いてもよい。
【図面の簡単な説明】
【００４６】
【図１】本発明による好ましい一実施例の脈拍計付きの電子腕時計を示したもので、（ａ）は回転ベゼルを通常運針モードに設定した場合の平面説明図、（ｂ）は回転ベゼルを脈拍計としての動作モードに設定し脈拍を測定している状態を示した（ａ）と同様な平面説明図。
【図２】図１の脈拍計付き電子腕時計の断面説明図（脈拍センサが動作可能なように回転ベゼルが回転された状態であって、図４のＩＩ−ＩＩ線断面説明図）。
【図３】図１の脈拍計付き電子腕時計の断面説明図（六種類のいずれの動作モードも新たな設定が行われない中間位置に回転ベゼルがある状態であって、図４のＩＩＩ−ＩＩＩ線に沿った断面説明図（但し、回転ベゼルの凹部がピンに対面していない回転位置））。
【図４】図１の脈拍計付き電子腕時計の背面説明図（但し、裏蓋を取り除いた状態で電池枠の一部を破断してして示している）。
【図５】図１の脈拍計付き電子時計において、六種類の動作モードのうちいずれかの動作モードの設定が可能な状態を示す断面説明図。
【符号の説明】
【００４７】
１  脈拍計付き電子腕時計
１ａ  本体
２  時計ガラス
４  液晶表示パネル
８  ベルト
１０  ケース
１５  孔
１６  窓部
１９，１９ｐ，１９ｑ，１９ｒ，１９ｓ，１９ｔ，１９ｕ  貫通孔
２０，２０ｐ，２０ｑ，２０ｒ，２０ｓ，２０ｔ，２０ｕ  ピン
２０ａ  頂部
２０ｂ  下端部
３０  回転ベセル
３４  底面（凸部）
３５  凹部
３６  開口（窓部）
３８，３８ｐ，３８ｑ，３８ｒ，３８ｓ，３８ｔ，３８ｕ  機能表示マーク
４０  回路基板（電子機器本体部）
５０  パネル枠
５１  センサ受容孔
６０  電池枠
６３  切欠部
６７  凹部
７０  脈拍センサ
７２  発光部
７３  受光部
８０  スイッチ
８１  固定接点部
８２  可動バネ接点部
８４  周方向延在部
８５  端部（ピン受部）
８６  可動接点支持部
８７  可動接点部
Ａ，Ａ１，Ａ２  回転方向
Ｃ  回転中心軸線
Ｄ  表示領域
Ｆ  指
Ｗ  手首
Ｚ，Ｚ１，Ｚ２  軸線の延在方向
【図１】
2006014947.tif 000003
【図２】
2006014947.tif 000004
【図３】
2006014947.tif 000005
【図４】
2006014947.tif 000006
【図５】
2006014947.tif 000007